(57)【要約】【課題】本考案は、強い凝集・滅菌作用を有するモリンガの種子タンパク質を使用して汚濁水を迅速、かつ、確実に浄水化せしめることが出来るのみならず、適宜所要の場所に可搬して簡単に設置せしめ、特に緊急時や生活用水の不足する地域等において好適に使用することが出来る、モリンガ仕様の可搬式浄水装置を提供するものである。【解決手段】原水にモリンガの種子タンパク質を投入して凝集・滅菌せしめる凝集槽２ａ・２ｂと、凝集・滅菌せしめた原水を濾過して浄水化せしめる濾過槽７と、浄水を貯留せしめるべく該濾過槽７を着脱自在に内設せしめた貯留槽３ａ・３ｂとよりなり、上記濾過槽７は内部にフィルタ−９が内蔵されると共に、同上部に凝集・滅菌せしめた原水を散水状に落下せしめる散水樋１０が設けられている。【選択図】図２
0003121860.tif 000002
【実用新案登録請求の範囲】
【請求項１】
原水にモリンガの種子タンパク質を投入して凝集・滅菌せしめる凝集槽と、凝集・滅菌せしめた原水を濾過して浄水化せしめる濾過槽と、浄水を貯留せしめるべく該濾過槽を着脱自在に内設せしめた貯留槽とよりなり、上記濾過槽は内部にフィルタ−が内蔵されると共に、同上部に凝集・滅菌せしめた原水を散水状に落下せしめる散水樋が設けられてなることを特徴とする、モリンガ仕様の可搬式浄水装置。
【請求項２】
凝集槽と貯留槽とが所要の槽体内に仕切板を介して区画形成されてなることを特徴とする、請求項１記載のモリンガ仕様の可搬式浄水装置。
【請求項３】
凝集槽及び貯留槽は各々組立て自在な方形体状のフレ−ムと、該フレ−ム内に内設自在とされた折畳み自在な略袋状の槽部材とにより組立て自在とされてなることを特徴とする
、請求項１記載のモリンガ仕様の可搬式浄水装置。
【請求項４】
濾過槽内のフィルタ−がモミ炭などの植物性炭より形成されてなることを特徴とする、請求項１〜３記載のモリンガ仕様の可搬式浄水装置。
【考案の詳細な説明】
【技術分野】
【０００１】
本考案は、モリンガ仕様の可搬式浄水装置に関し、さらに詳細には、強い凝集・滅菌作用を有するモリンガの種子タンパク質を使用して迅速、かつ確実に浄水化せしめることが出来るのみならず、適宜所要の場所に可搬して容易に設置せしめることが出来る、モリンガ仕様の可搬式浄水装置に関する。
【背景技術】
【０００２】
熱帯地方に生育するモリンガは、アフリカからインド等にかけた原産地においてはその葉を食用に供すると共に、種子より食用油が採取されている。
ところで、近時、モリンガの種子が水溶性の低分子量で非常に塩基性のタンパク質を含み、このタンパク質が凝集・滅菌作用を有することが知見され、汚濁水処理時における凝集剤として使用することが特表２００３−５２９６０６号公報や特表２００５−５０８３０４号公報に開示されている。
【特許文献１】特表２００３−５２９６０６号公報
【特許文献２】特表２００５−５０８３０４号公報
【考案の開示】
【考案が解決しようとする課題】
【０００３】
ところで、上記特表２００３−５２９６０６号公報・特表２００５−５０８３０４号公報には、モリンガの種子タンパク質が汚濁水の処理時における凝集剤として有効に使用することが開示されているに留まり、未だモリンガの種子タンパク質を凝集剤として使用する実用的な浄水装置は提案されていない。
【０００４】
本考案は、かかる現状に鑑み、強い凝集・滅菌作用を有するモリンガの種子タンパク質を使用して汚濁水を迅速、かつ、確実に浄水化せしめることが出来るのみならず、適宜所要の場所に可搬して簡単に設置せしめ、特に緊急時や生活用水の不足する地域等において好適に使用することが出来る、モリンガ仕様の可搬式浄水装置を提供しようとするものである。
【課題を解決するための手段】
【０００５】
上記の目的を達成するため、請求項１記載の考案は、原水にモリンガの種子タンパク質を投入して凝集・滅菌せしめる凝集槽と、凝集・滅菌せしめた原水を濾過して浄水化せしめる濾過槽と、浄水を貯留せしめるべく該濾過槽を着脱自在に内設せしめた貯留槽とよりなり、上記濾過槽は内部にフィルタ−が内蔵されると共に、同上部に凝集・滅菌せしめた原水を散水状に落下せしめる散水樋が設けられてなることを特徴とする、モリンガ仕様の可搬式浄水装置を要旨とするものである。
【０００６】
請求項２記載の考案は、凝集槽と貯留槽とが所要の槽体内に仕切板を介して区画形成されてなることを特徴とする、請求項１記載のモリンガ仕様の可搬式浄水装置を要旨とするものである。
【０００７】
請求項３記載の考案は、凝集槽及び貯留槽は各々組立て自在な方形体状のフレ−ムと、該フレ−ム内に内設自在とされた折畳み自在な略袋状の槽部材とにより組立て自在とされてなることを特徴とする、請求項１記載のモリンガ仕様の可搬式浄水装置を要旨とするものである。
【０００８】
請求項４記載の考案は、濾過槽内のフィルタ−がモミ炭などの植物性炭より形成されてなることを特徴とする、請求項１〜３記載のモリンガ仕様の可搬式浄水装置を要旨とするものである。
【考案の効果】
【０００９】
請求項１記載の考案は上述のように構成されているから、適宜所要の場所に可搬して簡単に設置せしめ、強い凝集・滅菌作用を有するモリンガの種子タンパク質を使用して汚濁水を迅速、かつ確実に浄水化せしめることが出来るものである。
【００１０】
請求項２記載の考案は上述のように構成されているから、構造が簡単であり、容易に製作することが出来るのみならず、適宜所要の場所に可搬して汚濁水の浄水化を行うことが出来るものである。      
【００１１】
請求項３記載の考案は上述のように構成されているから、各々別個独立に構成されたフレ−ムと槽部材とにより各々凝集槽および貯留槽を簡単に組立て、貯留槽内に濾過槽を内設して使用に供することが出来るのみならず、不使用時には分解してコンパクトにまとめることが出来るものであって、ひいては、その運搬や保管に極めて至便である。
【００１２】
請求項４記載の考案は上述のように構成されているから、フィルタ−の使用後における廃棄処分が非常に容易であり、環境への負荷がなく、環境に悪影響を及ぼすおそれはないものである。
【考案を実施するための最良の形態】
【００１３】
以下に、本考案を実施するための最良の形態を図面に示す一実施例に基づいて詳細に説明する。
【００１４】
図１〜図４は本考案の一実施例を示すもので、同図中、１は可搬自在とされた所要の大きさと深さを有する略方形体状の槽体、２ａ・３ａは該槽体１内に仕切り板４を介して水密状に区画形成された凝集槽と貯留槽で、該凝集槽２ａは汚濁水などの原水にモリンガの種子タンパク質を投入して凝集せしめるものとされ、また、貯留槽３ａは後記する濾過槽７により濾過せしめた浄水を貯留せしめるものとされている。５は上記貯留槽３ａに隣接すべく槽体１内に仕切り板６を介して区画形成された付属品などの収納室、７は貯留槽３ａの上端部に掛止状に着脱自在に内設された所要の透水孔８を有するパンチングメタル製濾過槽、９は該濾過槽７内に内蔵されたパック状のモミ炭製フィルタ−、１０は濾過槽７の長手方向に沿ってその上端部に有底筒状の取付け部材１１を介して着脱自在に取付けられた所要の散水孔１２を有する散水樋である。１３は凝集槽２ａ内でモリンガの種子タンパク質により凝集・滅菌せしめた原水を散水樋１０上にポンプ（図示略）を介して送水する送水パイプである。
【００１５】
次に、上述の如く構成された実施例の作動について説明する。
先ず、可搬して所要の場所に設置せしめる。このさい、可搬自在とされているから、緊急時などにおいても容易に移送せしめ、所要の場所に設置せしめることが出来る。次いで
、凝集槽２ａ内に汚濁水など所要の原水を満たしたのち、所要量のモリンガの種子タンパク質を投入せしめ、公知の撹拌手段により撹拌せしめつつ、モリンガの種子タンパク質の作用により原水中の浮遊物などを凝集せしめると共に、付着する細菌を有効に滅菌せしめる。しかるのち、凝集・滅菌せしめた原水を送水パイプ１３により順次散水樋１０上に送水せしめ、散水樋１０の散水孔１２を通して均一に濾過槽７内に散水せしめつつフィルタ−９により濾過せしめる。このさい、凝集・滅菌せしめた原水を散水樋１０により均一に散水せしめつつフィルタ−９により濾過せしめるものであるから、その濾過処理を効率よく行うことが出来るのみならず、フィルタ−９として植物性のモミ炭を使用するものであるから、フィルタ−９の使用後における廃棄処分が非常に容易であり、環境への負荷がなく、環境に悪影響を及ぼすおそれはないものである。フィルタ−９により濾過して浄水化せしめた浄水は貯留槽３ａ内に順次流下せしめて貯留し、適宜飲料水など所要の生活用水として使用に供する。
【００１６】
図５及び図６は本考案の他の実施例を示すもので、同図中、２ｂ・３ｂは原水にモリンガの種子タンパク質を投入して凝集・滅菌せしめる凝集槽と、浄水を貯留せしめる貯留槽で、該凝集槽２ｂ・貯留槽３ｂは各々方形枠状のフレ−ム部材１５を連結部材１６でもって連結せしめることにより組立て自在とされた方形体状フレ−ム１４と、該フレ−ム１４内に掛止状に内設自在とされた折畳み自在な略袋状の防水布製槽部材１７とより構成されている。その他は上記実施例と同一であり、同一符号は同一部分を示す。
【００１７】
そして、上述の如く構成された実施例は、フレ−ム部材１５、槽部材１７、及び濾過槽７を各々所要の場所に持込み、フレ−ム部材１５を連結部材１６でもって連結せしめつつ方形体状のフレ−ム１４に組立てたのち、フレ−ム１４内に槽部材１７を拡げつつ掛止状に内設せしめ、凝集槽２ｂ及び貯留槽３ｂを組立てると共に、貯留槽３ｂ上に濾過槽７を掛止状に内設せしめる。このさい、凝集槽２ｂ及び貯留槽３ｂは、各々別個独立に構成されたフレ−ム部材１５・槽部材１７・濾過槽７により上述の如く簡単に組立てて使用に供することが出来るのみならず、不使用時には分解してコンパクトにまとめることが出来るものであって、ひいては、その運搬や保管に極めて至便である。
上述のように組立てた凝集槽２ｂ及び貯留槽３ｂは並列状に配置せしめる。そして、上記実施例と同様に、凝集槽２ｂ内に汚濁水などの原水を満たし、モリンガの種子タンパク質を投入して撹拌せしめつつ原水の浮遊物を凝集せしめると共に、付着する細菌を滅菌せしめたのち、送水パイプ１３を介して散水樋１０に送水せしめつつ濾過槽７内に散水して浄水化せしめ、浄水を貯留槽３ｂ内に貯留せしめるものである。
【００１８】
なお、上記実施例において、フィルタ−９はモミ炭製とされているが、これに限定されるものではなく、木炭など他の公知の植物性炭を使用してもよいものである。
さらに、上記図５図及び図６に示す実施例において、フレ−ム１４は方形枠状のフレ−ム部材１５を連結部材１６でもって連結せしめることにより方形体状に組立てるものとされているが、これに限定されるものではなく、例えば、所要の長さを有するパイプ材を連結部材でもって方形体状に組立ててもよいものである。
【図面の簡単な説明】
【００１９】
【図１】本考案の一実施例を示す平面図である。
【図２】図１のＡ−Ａ線に沿う断面図である。
【図３】図１のＢ−Ｂ線に沿う断面図である。
【図４】実施例の散水樋１０を示す拡大横断面図である。
【図５】本考案の他の実施例を示す分解斜視図である。
【図６】本考案の他の実施例を示す斜視図である。
【符号の説明】
【００２０】
１    槽体
２ａ・２ｂ  凝集槽  
３ａ・３ｂ  貯留槽
４    仕切り板
７    濾過槽
８    透水孔
９    フィルタ−
１０  散水樋
１２  散水孔
１３  送水パイプ
１４  フレ−ム
１５  フレ−ム部材
１６  連結部材
１７  槽部材
【図１】
0003121860.tif 000003
【図２】
0003121860.tif 000004
【図３】
0003121860.tif 000005
【図４】
0003121860.tif 000006
【図５】
0003121860.tif 000007
【図６】
0003121860.tif 000008
【手続補正書】
【提出日】平成18年3月17日(2006.3.17)
【手続補正１】
【補正対象書類名】実用新案登録請求の範囲
【補正対象項目名】請求項４
【補正方法】変更
【補正の内容】
【請求項４】
濾過槽内のフィルタ−がモミ炭などの植物性炭より形成されてなることを特徴とする、請求項１〜３のいづれか１項に記載のモリンガ仕様の可搬式浄水装置。